【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
磁気共鳴撮像を実行するための磁場を生成するよう構成された複数の磁気系コンポーネントをもつ磁気系システムを有する磁気共鳴撮像システムであって、前記磁気系システムは：
0.2テスラ（T）未満の磁場強度で当該磁気共鳴撮像システムのためのB0磁場を生成するよう構成されたB0磁石と；
動作させられるときに、磁気共鳴信号の空間的エンコードを提供するための磁場を生成するよう構成された複数の傾斜コイルと；
動作させられるときに、当該磁気共鳴撮像システムの視野に高周波信号を送信し、該視野から放出される磁気共鳴信号に応答するよう構成された少なくとも一つの高周波コイルとを有し、
当該磁気共鳴撮像システムはさらに：
画像取得を実行するよう当該磁気共鳴撮像システムを動作させるよう前記磁気系システムにおける前記複数の磁気系コンポーネントの少なくとも一部に電力を提供するよう構成された一つまたは複数の電力コンポーネントを有する電力システムと；
幹線電気を受領するよう単相コンセントに接続し、幹線電気を前記電力システムに送達して当該磁気共鳴撮像システムを動作させるために必要とされる電力を提供するよう構成された電力接続とを有する、
磁気共鳴撮像システム。
【請求項２】
前記電力接続が、定格が少なくとも30アンペアの約220ないし240ボルトを提供する単相コンセントに接続するよう構成され、前記電力システムが、前記単相コンセントによって提供される電力から、当該磁気共鳴撮像システムを動作させるための前記電力を提供することができる、請求項１記載の磁気共鳴撮像システム。
【請求項３】
前記電力接続が、定格が少なくとも20アンペアの約220ないし240ボルトを提供する単相コンセントに接続するよう構成され、前記電力システムが、前記単相コンセントによって提供される電力から、当該磁気共鳴撮像システムを動作させるための前記電力を提供することができる、請求項１または２記載の磁気共鳴撮像システム。
【請求項４】
前記電力接続が、定格が少なくとも15アンペアの約220ないし240ボルトを提供する単相コンセントに接続するよう構成され、前記電力システムが、前記単相コンセントによって提供される電力から、当該磁気共鳴撮像システムを動作させるための前記電力を提供することができる、請求項１ないし３のうちいずれか一項記載の磁気共鳴撮像システム。
【請求項５】
前記電力システムが、約50〜60Hzの85ボルトから250ボルトの間の範囲の壁のコンセントからの交流（AC）電力を受領し、該AC電力を当該磁気共鳴撮像システムを動作させるための直流（DC）電力に変換するよう構成された少なくとも一つの電力供給部を有する、請求項１ないし４のうちいずれか一項記載の磁気共鳴撮像システム。
【請求項６】
前記電力システムが、単相の壁のコンセントからAC電力を受領するよう構成された少なくとも一つの電力供給部を有する、請求項１ないし５のうちいずれか一項記載の磁気共鳴撮像システム。
【請求項７】
前記電力システムが、画像取得の間、平均3キロワット未満を使って当該磁気共鳴撮像システムを動作させる、請求項１ないし６のうちいずれか一項記載の磁気共鳴撮像システム。
【請求項８】
前記B0磁石が約20mT以上0.1T未満の強度で当該磁気共鳴撮像システムのためのB0磁場を生成するよう構成されている、請求項１ないし７のうちいずれか一項記載の磁気共鳴撮像システム。
【請求項９】
前記一つまたは複数の電力コンポーネントが、一緒になって当該磁気共鳴撮像システムのための傾斜システムを形成する、第一の傾斜コイルに電力を提供するための第一の電力増幅器、第二の傾斜コイルに電力を提供するための第二の電力増幅器および第三の傾斜コイルに電力を提供するための第三の電力増幅器を含み、前記傾斜システムは画像取得の間、平均約1キロワット以下を使う、請求項１ないし８のうちいずれか一項記載の磁気共鳴撮像システム。
【請求項１０】
前記B0磁石、前記第一の傾斜コイル、前記第二の傾斜コイルおよび前記第三の傾斜コイルを支持し、前記第一の電力増幅器、前記第二の電力増幅器および前記第三の電力増幅器を収容するベースをさらに有する、請求項１ないし９のうちいずれか一項記載の磁気共鳴撮像システム。
【請求項１１】
前記一つまたは複数の電力コンポーネントが、当該磁気共鳴撮像システムのための高周波送信システムをなす少なくとも一つの高周波コイルに電力を提供するための第一の電力増幅器を含み、前記高周波送信システムは画像取得の間、平均250ワット以下を使う、請求項１ないし１０のうちいずれか一項記載の磁気共鳴撮像システム。
【請求項１２】
当該磁気共鳴撮像システムが所望される位置に搬送されることを許容する運搬機構をさらに有する、請求項１ないし１１のうちいずれか一項記載の磁気共鳴撮像システム。
【請求項１３】
当該磁気共鳴撮像システムが、約50インチ以下の最大水平寸法をもつ、請求項１ないし１２のうちいずれか一項記載の磁気共鳴撮像システム。
【請求項１４】
当該磁気共鳴撮像システムが、約40インチ以下の最大水平寸法をもつ、請求項１ないし１３のうちいずれか一項記載の磁気共鳴撮像システム。
【請求項１５】
当該磁気共鳴撮像システムが5フィート以下の最大寸法をもつ5ガウス線をもつ、請求項１ないし１４のうちいずれか一項記載の磁気共鳴撮像システム。
【手続補正２】
【補正対象書類名】明細書
【補正対象項目名】０３８２
【補正方法】変更
【補正の内容】
【０３８２】
請求項および上記の明細書において、「有する」「含む」「担持する」「もつ」「包含する」「関わる」「保持する」「構成される」などといったあらゆる移行句はオープンなものと理解される。すなわち、含むがそれに限定されないことを意味する。「…からなる」および「本質的には…からなる」という移行句のみが、それぞれクローズドまたは半クローズドの移行句である。
いくつかの態様を記載しておく。
〔態様１〕
磁気共鳴撮像を実行するための磁場を生成するよう構成された複数の磁気系コンポーネントをもつ磁気系システムを有する低磁場磁気共鳴撮像システムであって、前記磁気系システムは：
0.2テスラ（T）未満の磁場強度で当該磁気共鳴撮像システムのためのB0磁場を生成するよう構成されたB0磁石と；
動作させられるときに、磁気共鳴信号の空間的エンコードを提供するための磁場を生成するよう構成された複数の傾斜コイルと；
動作させられるときに、当該磁気共鳴撮像システムの視野に高周波信号を送信し、該視野から放出される磁気共鳴信号に応答するよう構成された少なくとも一つの高周波コイルとを有し、
当該磁気共鳴撮像システムはさらに：
画像取得を実行するよう当該磁気共鳴撮像システムを動作させるよう前記磁気系システムに電力を提供するよう構成された一つまたは複数の電力コンポーネントを有する電力システムと；
幹線電気を受領するよう単相コンセントに接続し、幹線電気を前記電力システムに送達して当該磁気共鳴撮像システムを動作させるために必要とされる電力を提供するよう構成された電力接続とを有する、
低磁場磁気共鳴撮像システム。
〔態様２〕
前記電力接続が、定格が少なくとも30アンペアの約110ないし120ボルトを提供する単相コンセントに接続するよう構成され、前記電力システムが、前記単相コンセントによって提供される電力から、当該磁気共鳴撮像システムを動作させるための前記電力を提供することができる、態様１記載の低磁場磁気共鳴撮像システム。
〔態様３〕
前記電力接続が、定格が少なくとも20アンペアの約110ないし120ボルトを提供する単相コンセントに接続するよう構成され、前記電力システムが、前記単相コンセントによって提供される電力から、当該磁気共鳴撮像システムを動作させるための前記電力を提供することができる、態様１または２記載の低磁場磁気共鳴撮像システム。
〔態様４〕
前記電力接続が、定格が少なくとも15アンペアの約110ないし120ボルトを提供する単相コンセントに接続するよう構成され、前記電力システムが、前記単相コンセントによって提供される電力から、当該磁気共鳴撮像システムを動作させるための前記電力を提供することができる、態様１ないし３のうちいずれか一項記載の低磁場磁気共鳴撮像システム。
〔態様５〕
前記電力接続が、定格が少なくとも30アンペアの約220ないし240ボルトを提供する単相コンセントに接続するよう構成され、前記電力システムが、前記単相コンセントによって提供される電力から、当該磁気共鳴撮像システムを動作させるための前記電力を提供することができる、態様１ないし４のうちいずれか一項記載の低磁場磁気共鳴撮像システム。
〔態様６〕
前記電力接続が、定格が少なくとも20アンペアの約220ないし240ボルトを提供する単相コンセントに接続するよう構成され、前記電力システムが、前記単相コンセントによって提供される電力から、当該磁気共鳴撮像システムを動作させるための前記電力を提供することができる、態様１ないし５のうちいずれか一項記載の低磁場磁気共鳴撮像システム。
〔態様７〕
前記電力接続が、定格が少なくとも15アンペアの約220ないし240ボルトを提供する単相コンセントに接続するよう構成され、前記電力システムが、前記単相コンセントによって提供される電力から、当該磁気共鳴撮像システムを動作させるための前記電力を提供することができる、態様１ないし６のうちいずれか一項記載の低磁場磁気共鳴撮像システム。
〔態様８〕
前記電力接続が、定格が少なくとも12アンペアの約220ないし240ボルトを提供する単相コンセントに接続するよう構成され、前記電力システムが、前記単相コンセントによって提供される電力から、当該磁気共鳴撮像システムを動作させるための前記電力を提供することができる、態様１ないし５のうちいずれか一項記載の低磁場磁気共鳴撮像システム。
〔態様９〕
前記電力システムが、約50〜60Hzの85ボルトから250ボルトの間の範囲の壁のコンセントからの交流（AC）電力を受領し、該AC電力を当該磁気共鳴撮像システムを動作させるための直流（DC）電力に変換するよう構成された少なくとも一つの電力供給部を有する、態様１ないし８のうちいずれか一項記載の低磁場磁気共鳴撮像システム。
〔態様１０〕
前記電力システムが、単相の壁のコンセントからAC電力を受領するよう構成された少なくとも一つの電力供給部を有する、態様１ないし９のうちいずれか一項記載の低磁場磁気共鳴撮像システム。
〔態様１１〕
前記電力システムが、画像取得の間、平均3キロワット未満を使って当該低磁場磁気共鳴撮像システムを動作させる、態様１ないし１０のうちいずれか一項記載の低磁場磁気共鳴撮像システム。
〔態様１２〕
前記電力システムが、画像取得の間、平均2キロワット未満を使って当該低磁場磁気共鳴撮像システムを動作させる、態様１ないし１１のうちいずれか一項記載の低磁場磁気共鳴撮像システム。
〔態様１３〕
前記電力システムが、画像取得の間、平均1キロワット未満を使って当該低磁場磁気共鳴撮像システムを動作させる、態様１記載の低磁場磁気共鳴撮像システム。
〔態様１４〕
前記電力システムが、画像取得の間、平均750ワット未満を使って当該低磁場磁気共鳴撮像システムを動作させる、態様１ないし１０のうちいずれか一項記載の低磁場磁気共鳴撮像システム。
〔態様１５〕
前記B0磁石が約20mT以上0.1T未満の超低磁場強度で当該磁気共鳴撮像システムのためのB0磁場を生成するよう構成されている、態様１ないし１４のうちいずれか一項記載の低磁場磁気共鳴撮像システム。
〔態様１６〕
前記B0磁石が約50mT以上0.1T未満の超低磁場強度で当該磁気共鳴撮像システムのためのB0磁場を生成するよう構成されている、態様１記載の低磁場磁気共鳴撮像システム。
〔態様１７〕
前記B0磁石が約20mT以上約50mT以下の超低磁場強度で当該磁気共鳴撮像システムのためのB0磁場を生成するよう構成されている、態様１ないし１６のうちいずれか一項記載の低磁場磁気共鳴撮像システム。
〔態様１８〕
前記B0磁石が約10mT以上約20mT以下の超低磁場強度で当該磁気共鳴撮像システムのためのB0磁場を生成するよう構成されている、態様１ないし１６のうちいずれか一項記載の低磁場磁気共鳴撮像システム。
〔態様１９〕
前記一つまたは複数の電力コンポーネントが、一緒になって当該低磁場磁気共鳴撮像システムのための傾斜システムを形成する、第一の傾斜コイルに電力を提供するための第一の電力増幅器、第二の傾斜コイルに電力を提供するための第二の電力増幅器および第三の傾斜コイルに電力を提供するための第三の電力増幅器を含み、前記傾斜システムは画像取得の間、平均約1キロワット以下を使う、態様１ないし１８のうちいずれか一項記載の低磁場磁気共鳴撮像システム。
〔態様２０〕
前記傾斜システムが画像取得の間、平均約500ワット以下を使う、態様１ないし１９のうちいずれか一項記載の低磁場磁気共鳴撮像システム。
〔態様２１〕
前記傾斜システムが画像取得の間、平均約200ワット以下を使う、態様１ないし２０のうちいずれか一項記載の低磁場磁気共鳴撮像システム。
〔態様２２〕
前記傾斜システムが画像取得の間、平均約100ワット以下を使う、態様１ないし２１のうちいずれか一項記載の低磁場磁気共鳴撮像システム。
〔態様２３〕
前記B0磁石、前記第一の傾斜コイル、前記第二の傾斜コイルおよび前記第三の傾斜コイルを支持し、前記第一の電力増幅器、前記第二の電力増幅器および前記第三の電力増幅器を収容するベースをさらに有する、態様１ないし２２のうちいずれか一項記載の低磁場磁気共鳴撮像システム。
〔態様２４〕
前記一つまたは複数の電力コンポーネントが、当該低磁場磁気共鳴撮像システムのための高周波送信システムをなす少なくとも一つの高周波コイルに電力を提供するための第一の電力増幅器を含み、前記高周波送信システムは画像取得の間、平均250ワット以下を使う、態様１ないし２３のうちいずれか一項記載の低磁場磁気共鳴撮像システム。
〔態様２５〕
前記高周波送信システムが画像取得の間、平均100ワット以下を使う、態様１ないし２４のうちいずれか一項記載の低磁場磁気共鳴撮像システム。
〔態様２６〕
前記高周波送信システムが画像取得の間、平均50ワット以下を使う、態様１ないし２４のうちいずれか一項記載の低磁場磁気共鳴撮像システム。
〔態様２７〕
当該低磁場磁気共鳴撮像システムが所望される位置に搬送されることを許容する運搬機構をさらに有する、態様１ないし２６のうちいずれか一項記載の低磁場磁気共鳴撮像システム。
〔態様２８〕
当該低磁場磁気共鳴撮像システムが、約50インチ以下の最大水平寸法をもつ、態様１ないし２７のうちいずれか一項記載の低磁場磁気共鳴撮像システム。
〔態様２９〕
当該低磁場磁気共鳴撮像システムが、約40インチ以下の最大水平寸法をもつ、態様１ないし２８のうちいずれか一項記載の低磁場磁気共鳴撮像システム。
〔態様３０〕
当該低磁場磁気共鳴撮像システムが、約35インチ以下の最大水平寸法をもつ、態様１ないし２８のうちいずれか一項記載の低磁場磁気共鳴撮像システム。
〔態様３１〕
当該低磁場磁気共鳴撮像システムが、約30インチ以下の最大水平寸法をもつ、態様１ないし３０のうちいずれか一項記載の低磁場磁気共鳴撮像システム。
〔態様３２〕
当該低磁場磁気共鳴撮像システムの重量が1500ポンド未満である、態様１ないし３１のうちいずれか一項記載の低磁場磁気共鳴撮像システム。
〔態様３３〕
当該低磁場磁気共鳴撮像システムの重量が1000ポンド未満である、態様１ないし３２のうちいずれか一項記載の低磁場磁気共鳴撮像システム。
〔態様３４〕
当該低磁場磁気共鳴撮像システムが5フィート以下の最大寸法をもつ5ガウス線をもつ、態様１ないし３３のうちいずれか一項記載の低磁場磁気共鳴撮像システム。
〔態様３５〕
当該低磁場磁気共鳴撮像システムが4フィート以下の最大寸法をもつ5ガウス線をもつ、態様１ないし３４のうちいずれか一項記載の低磁場磁気共鳴撮像システム。
〔態様３６〕
磁気共鳴撮像を実行するための磁場を生成するよう構成された複数の磁気系コンポーネントをもつ磁気系システムと、電力システムとを有する低磁場磁気共鳴撮像システムであって、前記磁気系システムは：
0.2テスラ（T）未満の低磁場強度で当該磁気共鳴撮像システムのためのB0磁場を生成するよう構成されたB0磁石と；
動作させられるときに、放出される磁気共鳴信号の空間的エンコードを提供するための磁場を生成するよう構成された複数の傾斜コイルと；
動作させられるときに、当該磁気共鳴撮像システムの視野に高周波信号を送信し、該視野から放出される磁気共鳴信号に応答するよう構成された少なくとも一つの高周波コイルとを有し；
前記電力システムは、画像取得を実行するよう当該磁気共鳴撮像システムを動作させるよう前記磁気系システムに電力を提供するよう構成された一つまたは複数の電力コンポーネントを有し、前記電力システムは当該低磁場磁気共鳴撮像システムを、画像取得の間、平均5キロワット未満を使って動作させる、
低磁場磁気共鳴撮像システム。
〔態様３７〕
幹線電気を受領するよう単相コンセントに接続し、幹線電気を前記電力システムに送達して当該磁気共鳴撮像システムを動作させるために必要とされる電力を提供するよう構成された電力接続をさらに有する、態様１ないし３６のうちいずれか一項記載の低磁場磁気共鳴撮像システム。
〔態様３８〕
前記電力接続が、定格が少なくとも30アンペアの約220ないし240ボルトを提供する単相コンセントに接続するよう構成され、前記電力システムが、前記単相コンセントによって提供される電力から、当該磁気共鳴撮像システムを動作させるための前記電力を提供することができる、態様１ないし３７のうちいずれか一項記載の低磁場磁気共鳴撮像システム。
〔態様３９〕
前記電力システムが、画像取得の間、平均3キロワット未満を使って当該低磁場磁気共鳴撮像システムを動作させる、態様１ないし３８のうちいずれか一項記載の低磁場磁気共鳴撮像システム。
〔態様４０〕
前記電力接続が、定格が少なくとも30アンペアの約110ないし120ボルトを提供する単相コンセントに接続するよう構成され、前記電力システムが、前記単相コンセントによって提供される電力から、当該磁気共鳴撮像システムを動作させるための前記電力を提供することができる、態様１ないし３９記載の低磁場磁気共鳴撮像システム。
〔態様４１〕
前記電力接続が、定格が少なくとも20アンペアの約220ないし240ボルトを提供する単相コンセントに接続するよう構成され、前記電力システムが、前記単相コンセントによって提供される電力から、当該磁気共鳴撮像システムを動作させるための前記電力を提供することができる、態様１ないし４０のうちいずれか一項記載の低磁場磁気共鳴撮像システム。
〔態様４２〕
前記電力接続が、定格が少なくとも15アンペアの約220ないし240ボルトを提供する単相コンセントに接続するよう構成され、前記電力システムが、前記単相コンセントによって提供される電力から、当該磁気共鳴撮像システムを動作させるための前記電力を提供することができる、態様１ないし４１のうちいずれか一項記載の低磁場磁気共鳴撮像システム。
〔態様４３〕
前記電力システムが、画像取得の間、平均2キロワット未満を使って当該低磁場磁気共鳴撮像システムを動作させる、態様１ないし４２のうちいずれか一項記載の低磁場磁気共鳴撮像システム。
〔態様４４〕
前記電力接続が、定格が少なくとも20アンペアの約110ないし120ボルトを提供する単相コンセントに接続するよう構成され、前記電力システムが、前記単相コンセントによって提供される電力から、当該磁気共鳴撮像システムを動作させるための前記電力を提供することができる、態様１ないし４３のうちいずれか一項記載の低磁場磁気共鳴撮像システム。
〔態様４５〕
前記電力接続が、定格が少なくとも12アンペアの約220ないし240ボルトを提供する単相コンセントに接続するよう構成され、前記電力システムが、前記単相コンセントによって提供される電力から、当該磁気共鳴撮像システムを動作させるための前記電力を提供することができる、態様１ないし４４のうちいずれか一項記載の低磁場磁気共鳴撮像システム。
〔態様４６〕
前記電力システムが、画像取得の間、平均1キロワット未満を使って当該低磁場磁気共鳴撮像システムを動作させる、態様１ないし４５のうちいずれか一項記載の低磁場磁気共鳴撮像システム。
〔態様４７〕
前記電力接続が、定格が少なくとも15アンペアの約110ないし120ボルトを提供する単相コンセントに接続するよう構成され、前記電力システムが、前記単相コンセントによって提供される電力から、当該磁気共鳴撮像システムを動作させるための前記電力を提供することができる、態様１ないし４６のうちいずれか一項記載の低磁場磁気共鳴撮像システム。
〔態様４８〕
前記電力システムが、約50〜60Hzの85ボルトから250ボルトの間の範囲の壁のコンセントからの交流（AC）電力を受領し、該AC電力を当該磁気共鳴撮像システムを動作させるための直流（DC）電力に変換するよう構成された少なくとも一つの電力供給部を有する、態様１ないし４７のうちいずれか一項記載の低磁場磁気共鳴撮像システム。
〔態様４９〕
前記電力システムが、単相の壁のコンセントからAC電力を受領するよう構成された少なくとも一つの電力供給部を有する、態様１ないし４８のうちいずれか一項記載の低磁場磁気共鳴撮像システム。
〔態様５０〕
前記B0磁石が約20mT以上0.1T未満の超低磁場強度で当該磁気共鳴撮像システムのためのB0磁場を生成するよう構成されている、態様１ないし４９のうちいずれか一項記載の低磁場磁気共鳴撮像システム。
〔態様５１〕
前記B0磁石が約50mT以上0.1T未満の超低磁場強度で当該磁気共鳴撮像システムのためのB0磁場を生成するよう構成されている、態様１ないし５０のうちいずれか一項記載の低磁場磁気共鳴撮像システム。
〔態様５２〕
前記B0磁石が約20mT以上50mT以下の超低磁場強度で当該磁気共鳴撮像システムのためのB0磁場を生成するよう構成されている、態様１ないし５１のうちいずれか一項記載の低磁場磁気共鳴撮像システム。
〔態様５３〕
前記B0磁石が約10mT以上20mT以下の超低磁場強度で当該磁気共鳴撮像システムのためのB0磁場を生成するよう構成されている、態様１ないし５１のうちいずれか一項記載の低磁場磁気共鳴撮像システム。
〔態様５４〕
前記一つまたは複数の電力コンポーネントが、一緒になって当該低磁場磁気共鳴撮像システムのための傾斜システムを形成する、第一の傾斜コイルに電力を提供するための第一の電力増幅器、第二の傾斜コイルに電力を提供するための第二の電力増幅器および第三の傾斜コイルに電力を提供するための第三の電力増幅器を含み、前記傾斜システムは画像取得の間、平均約1キロワット以下を使う、態様１ないし５３のうちいずれか一項記載の低磁場磁気共鳴撮像システム。
〔態様５５〕
前記傾斜システムが画像取得の間、平均約500ワット以下を使う、態様１ないし５４のうちいずれか一項記載の低磁場磁気共鳴撮像システム。
〔態様５６〕
前記傾斜システムが画像取得の間、平均約200ワット以下を使う、態様１ないし５５のうちいずれか一項記載の低磁場磁気共鳴撮像システム。
〔態様５７〕
前記傾斜システムが画像取得の間、平均約100ワット以下を使う、態様１ないし５６のうちいずれか一項記載の低磁場磁気共鳴撮像システム。
〔態様５８〕
前記B0磁石、前記第一の傾斜コイル、前記第二の傾斜コイルおよび前記第三の傾斜コイルを支持し、前記第一の電力増幅器、前記第二の電力増幅器および前記第三の電力増幅器を収容するベースをさらに有する、態様１ないし５７のうちいずれか一項記載の低磁場磁気共鳴撮像システム。
〔態様５９〕
前記一つまたは複数の電力コンポーネントが、当該低磁場磁気共鳴撮像システムのための高周波送信システムをなす少なくとも一つの高周波コイルに電力を提供するための第一の電力増幅器を含み、前記高周波送信システムは画像取得の間、平均250ワット以下を使う、態様１ないし５８のうちいずれか一項記載の低磁場磁気共鳴撮像システム。
〔態様６０〕
前記高周波送信システムが画像取得の間、平均100ワット以下を使う、態様１ないし５９のうちいずれか一項記載の低磁場磁気共鳴撮像システム。
〔態様６１〕
前記高周波送信システムが画像取得の間、平均50ワット以下を使う、態様１ないし６０のうちいずれか一項記載の低磁場磁気共鳴撮像システム。
〔態様６２〕
当該低磁場磁気共鳴撮像システムが所望される位置に搬送されることを許容する運搬機構をさらに有する、態様１ないし６１のうちいずれか一項記載の低磁場磁気共鳴撮像システム。
〔態様６３〕
当該低磁場磁気共鳴撮像システムが、約50インチ以下の最大水平寸法をもつ、態様１ないし６２のうちいずれか一項記載の低磁場磁気共鳴撮像システム。
〔態様６４〕
当該低磁場磁気共鳴撮像システムが、約40インチ以下の最大水平寸法をもつ、態様１ないし６３のうちいずれか一項記載の低磁場磁気共鳴撮像システム。
〔態様６５〕
当該低磁場磁気共鳴撮像システムが、約35インチ以下の最大水平寸法をもつ、態様１ないし６４のうちいずれか一項記載の低磁場磁気共鳴撮像システム。
〔態様６６〕
当該低磁場磁気共鳴撮像システムが、約30インチ以下の最大水平寸法をもつ、態様１ないし６５のうちいずれか一項記載の低磁場磁気共鳴撮像システム。
〔態様６７〕
当該低磁場磁気共鳴撮像システムの重量が1500ポンド未満である、態様１ないし６６のうちいずれか一項記載の低磁場磁気共鳴撮像システム。
〔態様６８〕
当該低磁場磁気共鳴撮像システムの重量が1000ポンド未満である、態様１ないし６７のうちいずれか一項記載の低磁場磁気共鳴撮像システム。
〔態様６９〕
当該低磁場磁気共鳴撮像システムが5フィート以下の最大寸法をもつ5ガウス線をもつ、態様１ないし６８のうちいずれか一項記載の低磁場磁気共鳴撮像システム。
〔態様７０〕
当該低磁場磁気共鳴撮像システムが4フィート以下の最大寸法をもつ5ガウス線をもつ、態様１ないし６９のうちいずれか一項記載の低磁場磁気共鳴撮像システム。
〔態様７１〕
磁気共鳴撮像を実行するための磁場を生成するよう構成された複数の磁気系コンポーネントをもつ磁気系システムと、電力システムとを有する低磁場磁気共鳴撮像システムであって、前記磁気系システムは：
当該磁気共鳴撮像システムのためのB0磁場を生成するよう構成されたB0磁石と；
動作させられるときに、放出される磁気共鳴信号の空間的エンコードを提供するための磁場を生成するよう構成された複数の傾斜コイルと；
動作させられるときに、当該磁気共鳴撮像システムの視野に高周波信号を送信し、該視野から放出される磁気共鳴信号に応答するよう構成された少なくとも一つの高周波コイルとを有し、
前記電力システムは、画像取得を実行するよう当該磁気共鳴撮像システムを動作させるよう前記磁気系システムに電力を提供するよう構成された一つまたは複数の電力コンポーネントを有し、前記電力システムは当該低磁場磁気共鳴撮像システムを、画像取得の間、平均1.6キロワット未満を使って動作させる、
低磁場磁気共鳴撮像システム。
〔態様７２〕
幹線電気を受領するよう単相コンセントに接続し、幹線電気を前記電力システムに送達して当該磁気共鳴撮像システムを動作させるために必要とされる電力を提供するよう構成された電力接続をさらに有する、態様１ないし７１のうちいずれか一項記載の低磁場磁気共鳴撮像システム。
〔態様７３〕
当該磁気共鳴撮像システムが、幹線電気を受領する単一の電力接続を介して動作させられる、態様１ないし７２のうちいずれか一項記載の低磁場磁気共鳴撮像システム。
〔態様７４〕
前記電力接続が、定格が少なくとも15アンペアの約110ないし120ボルトを提供する単相コンセントに接続するよう構成され、前記電力システムが、前記単相コンセントによって提供される電力から、当該磁気共鳴撮像システムを動作させるための前記電力を提供することができる、態様１ないし７３記載の低磁場磁気共鳴撮像システム。
〔態様７５〕
前記電力接続が、定格が少なくとも12アンペアの約220ないし240ボルトを提供する単相コンセントに接続するよう構成され、前記電力システムが、前記単相コンセントによって提供される電力から、当該磁気共鳴撮像システムを動作させるための前記電力を提供することができる、態様１ないし７４のうちいずれか一項記載の低磁場磁気共鳴撮像システム。
〔態様７６〕
前記B0磁石が、約40mT以上約0.1T以下のB0磁場を生成するよう構成された少なくとも一つの永久磁石を有する、態様１ないし７５のうちいずれか一項記載の低磁場磁気共鳴撮像システム。
〔態様７７〕
前記電力システムが、約50〜60Hzの85ボルトから250ボルトの間の範囲の壁のコンセントからの交流（AC）電力を受領し、該AC電力を当該磁気共鳴撮像システムを動作させるための直流（DC）電力に変換するよう構成された少なくとも一つの電力供給部を有する、態様１ないし７６のうちいずれか一項記載の低磁場磁気共鳴撮像システム。
〔態様７８〕
前記電力システムが、単相の壁のコンセントからAC電力を受領するよう構成された少なくとも一つの電力供給部を有する、態様１ないし７７のうちいずれか一項記載の低磁場磁気共鳴撮像システム。
〔態様７９〕
前記一つまたは複数の電力コンポーネントが、一緒になって当該低磁場磁気共鳴撮像システムのための傾斜システムを形成する、第一の傾斜コイルに電力を提供するための第一の電力増幅器、第二の傾斜コイルに電力を提供するための第二の電力増幅器および第三の傾斜コイルに電力を提供するための第三の電力増幅器を含み、前記傾斜システムは画像取得の間、平均約1キロワット以下を使う、態様１ないし７８のうちいずれか一項記載の低磁場磁気共鳴撮像システム。
〔態様８０〕
前記傾斜システムが画像取得の間、平均約500ワット以下を使う、態様１ないし７９のうちいずれか一項記載の低磁場磁気共鳴撮像システム。
〔態様８１〕
前記傾斜システムが画像取得の間、平均約200ワット以下を使う、態様１ないし８０のうちいずれか一項記載の低磁場磁気共鳴撮像システム。
〔態様８２〕
前記傾斜システムが画像取得の間、平均約100ワット以下を使う、態様１ないし８１のうちいずれか一項記載の低磁場磁気共鳴撮像システム。
〔態様８３〕
前記B0磁石、前記第一の傾斜コイル、前記第二の傾斜コイルおよび前記第三の傾斜コイルを支持し、前記第一の電力増幅器、前記第二の電力増幅器および前記第三の電力増幅器を収容するベースをさらに有する、態様１ないし８２のうちいずれか一項記載の低磁場磁気共鳴撮像システム。
〔態様８４〕
前記一つまたは複数の電力コンポーネントが、当該低磁場磁気共鳴撮像システムのための高周波送信システムをなす少なくとも一つの高周波コイルに電力を提供するための第一の電力増幅器を含み、前記高周波送信システムは画像取得の間、平均250ワット以下を使う、態様１ないし８３のうちいずれか一項記載の低磁場磁気共鳴撮像システム。
〔態様８５〕
前記高周波送信システムが画像取得の間、平均100ワット以下を使う、態様１ないし８４のうちいずれか一項記載の低磁場磁気共鳴撮像システム。
〔態様８６〕
前記高周波送信システムが画像取得の間、平均50ワット以下を使う、態様１ないし８５のうちいずれか一項記載の低磁場磁気共鳴撮像システム。
〔態様８７〕
当該低磁場磁気共鳴撮像システムが所望される位置に搬送されることを許容する運搬機構をさらに有する、態様１ないし８６のうちいずれか一項記載の低磁場磁気共鳴撮像システム。
〔態様８８〕
前記電力システムが、画像取得の間、平均1キロワット未満を使って当該低磁場磁気共鳴撮像システムを動作させる、態様１ないし８７のうちいずれか一項記載の低磁場磁気共鳴撮像システム。
〔態様８９〕
前記電力システムが、画像取得の間、平均750ワット未満を使って当該低磁場磁気共鳴撮像システムを動作させる、態様１ないし８８のうちいずれか一項記載の低磁場磁気共鳴撮像システム。
〔態様９０〕
当該低磁場磁気共鳴撮像システムが、約50インチ以下の最大水平寸法をもつ、態様１ないし８９のうちいずれか一項記載の低磁場磁気共鳴撮像システム。
〔態様９１〕
当該低磁場磁気共鳴撮像システムが、約40インチ以下の最大水平寸法をもつ、態様１ないし９０のうちいずれか一項記載の低磁場磁気共鳴撮像システム。
〔態様９２〕
当該低磁場磁気共鳴撮像システムが、約35インチ以下の最大水平寸法をもつ、態様１ないし９１のうちいずれか一項記載の低磁場磁気共鳴撮像システム。
〔態様９３〕
当該低磁場磁気共鳴撮像システムが、約30インチ以下の最大水平寸法をもつ、態様１ないし９２のうちいずれか一項記載の低磁場磁気共鳴撮像システム。
〔態様９４〕
当該低磁場磁気共鳴撮像システムの重量が1500ポンド未満である、態様１ないし９３のうちいずれか一項記載の低磁場磁気共鳴撮像システム。
〔態様９５〕
当該低磁場磁気共鳴撮像システムの重量が1000ポンド未満である、態様１ないし９４のうちいずれか一項記載の低磁場磁気共鳴撮像システム。
〔態様９６〕
当該低磁場磁気共鳴撮像システムが5フィート以下の最大寸法をもつ5ガウス線をもつ、態様１ないし９５のうちいずれか一項記載の低磁場磁気共鳴撮像システム。
〔態様９７〕
当該低磁場磁気共鳴撮像システムが4フィート以下の最大寸法をもつ5ガウス線をもつ、態様１ないし９６のうちいずれか一項記載の低磁場磁気共鳴撮像システム。
〔態様９８〕
ポータブル磁気共鳴撮像システムであって：
当該磁気共鳴撮像システムの撮像領域のためのB0磁場を生成するよう構成されたB0磁石と；
当該磁ポータブル気共鳴撮像システムの動作環境における少なくともいくらかの電磁ノイズを検出および抑制するよう構成されたノイズ削減システムと；
当該ポータブル磁気共鳴撮像システムの動作環境における前記電磁ノイズの少なくともいくらかを減衰させるために設けられた電磁遮蔽とを有し、前記電磁遮蔽は、当該ポータブル磁気共鳴撮像システムの前記撮像領域のある割合を遮蔽するよう構成される、
ポータブル磁気共鳴撮像システム。
〔態様９９〕
前記電磁遮蔽が、当該磁気共鳴撮像システムの前記撮像領域の75パーセント未満を遮蔽するよう構成される、態様１ないし９８のうちいずれか一項記載のポータブル磁気共鳴撮像システム。
〔態様１００〕
前記電磁遮蔽が、当該磁気共鳴撮像システムの前記撮像領域の50パーセント未満を遮蔽するよう構成される、態様１ないし９８のうちいずれか一項記載のポータブル磁気共鳴撮像システム。
〔態様１０１〕
前記電磁遮蔽が、当該磁気共鳴撮像システムの前記撮像領域の25パーセント未満を遮蔽するよう構成される、態様１ないし１００のうちいずれか一項記載のポータブル磁気共鳴撮像システム。
〔態様１０２〕
前記電磁遮蔽が、当該磁気共鳴撮像システムの前記撮像領域の10パーセント未満を遮蔽するよう構成される、態様１ないし１０１のうちいずれか一項記載のポータブル磁気共鳴撮像システム。
〔態様１０３〕
少なくとも前記B0磁石のための筐体をさらに有しており、前記電磁遮蔽が、前記撮像領域を遮蔽するために前記筐体に調整可能に結合された少なくとも一つの電磁シールド構造を有する、態様１ないし１０２のうちいずれか一項記載のポータブル磁気共鳴撮像システム。
〔態様１０４〕
前記少なくとも一つの電磁シールド構造が、前記撮像領域の、少なくとも75パーセントから50パーセントまでの間の範囲において遮蔽するよう調整可能である、態様１ないし１０３のうちいずれか一項記載のポータブル磁気共鳴撮像システム。
〔態様１０５〕
前記少なくとも一つの電磁シールド構造が、前記撮像領域の、少なくとも75パーセントから25パーセントまでの間の範囲において遮蔽するよう調整可能である、態様１ないし１０４のうちいずれか一項記載のポータブル磁気共鳴撮像システム。
〔態様１０６〕
前記少なくとも一つの電磁シールド構造が、前記撮像領域の、少なくとも50パーセントから25パーセントまでの間の範囲において遮蔽するよう調整可能である、態様１ないし１０５のうちいずれか一項記載のポータブル磁気共鳴撮像システム。
〔態様１０７〕
前記少なくとも一つの電磁シールド構造が、前記筐体に結合された複数の可動シールドを有する、態様１ないし１０６のうちいずれか一項記載のポータブル磁気共鳴撮像システム。
〔態様１０８〕
前記複数の可動シールドが、前記撮像領域の遮蔽の量が変えられることを許容するために、互いに独立して動かされることができる、態様１ないし１０７のうちいずれか一項記載のポータブル磁気共鳴撮像システム。
〔態様１０９〕
前記ノイズ削減システムが、前記少なくとも一つの電磁シールド構造の異なる配置に応答して前記電磁ノイズの少なくともいくらかを動的に抑制および／または補償するよう構成される、態様１ないし１０８のうちいずれか一項記載のポータブル磁気共鳴撮像システム。
〔態様１１０〕
前記少なくとも一つの高周波コイルが複数の高周波コイルを含み、当該ポータブル磁気共鳴撮像システムは、前記複数の高周波コイルのうちの少なくとも一つを通る電流の量を減らすよう前記複数の高周波コイルのうちの前記少なくとも一つに結合された少なくとも一つの減結合回路を有する、態様１ないし１０９のうちいずれか一項記載のポータブル磁気共鳴撮像システム。
〔態様１１１〕
前記少なくとも一つの減結合回路が、前記複数の高周波コイルのうちの前記少なくとも一つを流れる電流を制限するタンク回路を有する、態様１ないし１１０のうちいずれか一項記載のポータブル磁気共鳴撮像システム。
〔態様１１２〕
前記少なくとも一つの減結合回路が：
前記複数の高周波コイルのうちの前記少なくとも一つを流れる電流を制限するよう構成された第一のタンク回路と；
前記複数の高周波コイルのうちの前記少なくとも一つを流れる電流を制限するよう構成された第二のタンク回路と；
送信サイクルの間は前記第一のタンク回路を前記複数の高周波コイルのうちの前記少なくとも一つに結合し、受信サイクルの間は前記第二のタンク回路を前記複数の高周波コイルのうちの前記少なくとも一つに結合する送信／受信スイッチとを有する、
態様１ないし１１１のうちいずれか一項記載のポータブル磁気共鳴撮像システム。
〔態様１１３〕
前記第一のタンク回路および前記第二のタンク回路が少なくとも一つの回路コンポーネントを共有する、態様１ないし１１２のうちいずれか一項記載のポータブル磁気共鳴撮像システム。
〔態様１１４〕
前記少なくとも一つの減結合回路が、前記複数の高周波コイルのうちの前記少なくとも一つを流れる電流の量を減らすようフィードバック回路を介して前記複数の高周波コイルのうちの前記少なくとも一つと並列に結合されたインダクタを有する、態様１ないし１１３のうちいずれか一項記載のポータブル磁気共鳴撮像システム。
〔態様１１５〕
前記少なくとも一つの高周波コイルが少なくとも一つの主高周波コイルおよび少なくとも一つの補助高周波コイルを有し、前記少なくとも一つの減結合回路が、前記少なくとも一つの主高周波コイルに結合された第一の減結合回路および前記少なくとも一つの補助コイルに結合された第二の減結合回路を有する、態様１ないし１１４のうちいずれか一項記載のポータブル磁気共鳴撮像システム。
〔態様１１６〕
前記第一の減結合回路および前記第二の減結合回路が異なる型である、態様１ないし１１５のうちいずれか一項記載のポータブル磁気共鳴撮像システム。
〔態様１１７〕
前記第一の減結合回路および前記第二の減結合回路が同じ型である、態様１ないし１１６のうちいずれか一項記載のポータブル磁気共鳴撮像システム。
〔態様１１８〕
前記B0磁石が約0.1T以上約0.2T以下の強度のB0磁場を生成するよう構成されている、態様１ないし１１７のうちいずれか一項記載のポータブル磁気共鳴撮像システム。
〔態様１１９〕
前記B0磁石が約50mT以上約0.1T以下の強度のB0磁場を生成するよう構成されている、態様１ないし１１８のうちいずれか一項記載のポータブル磁気共鳴撮像システム。
〔態様１２０〕
前記B0磁石が約20mT以上約50mT以下の強度のB0磁場を生成するよう構成されている、態様１ないし１１９のうちいずれか一項記載のポータブル磁気共鳴撮像システム。
〔態様１２１〕
前記B0磁石が約10mT以上約20mT以下の強度のB0磁場を生成するよう構成されている、態様１ないし１２０のうちいずれか一項記載のポータブル磁気共鳴撮像システム。
〔態様１２２〕
前記磁気遮蔽が、少なくとも一つの伝導性ループをなす当該磁気共鳴撮像システムの上部と下部をつなぐ少なくとも一つの伝導性ストリップを有する、態様１ないし１２１のうちいずれか一項記載のポータブル磁気共鳴撮像システム。
〔態様１２３〕
当該ポータブル磁気共鳴撮像システムが、当該磁気共鳴撮像システムの前記撮像領域内の磁束密度を増すよう前記B0磁石によって生成される磁場の少なくとも一部を捕捉して差し向けるよう構成された少なくとも一つの強磁性コンポーネントをさらに有しており、前記少なくとも一つの伝導性ストリップが、前記少なくとも一つの伝導性ループをなすよう前記少なくとも一つの強磁性コンポーネントに結合される、態様１ないし１２２のうちいずれか一項記載のポータブル磁気共鳴撮像システム。
〔態様１２４〕
前記B0磁石が、前記撮像領域のまわりの二平面配置に位置された少なくとも一つの第一の磁石および少なくとも一つの第二の磁石を有しており、前記少なくとも一つの強磁性コンポーネントは、前記少なくとも一つの第一の磁石および前記少なくとも一つの第二の磁石に磁気的に結合された強磁性構造を有しており、前記少なくとも一つの伝導性ストリップが、前記撮像領域の少なくとも一部のまわりの伝導性ループをなすよう前記強磁性構造に結合される、態様１ないし１２３のうちいずれか一項記載のポータブル磁気共鳴撮像システム。
〔態様１２５〕
前記少なくとも一つの伝導性ストリップが、前記撮像領域のまわりの複数の異なる位置のうちの任意の位置に取り外し可能に取り付けられることを許容するよう構成された複数の固定機構をさらに有する、態様１ないし１２４のうちいずれか一項記載のポータブル磁気共鳴撮像システム。
〔態様１２６〕
前記少なくとも一つの伝導性ストリップが柔軟な材料で形成される、態様１ないし１２５のうちいずれか一項記載のポータブル磁気共鳴撮像システム。
〔態様１２７〕
前記少なくとも一つの伝導性ストリップが柔軟な編組材料で形成される、態様１ないし１２６のうちいずれか一項記載のポータブル磁気共鳴撮像システム。
〔態様１２８〕
前記少なくとも一つの伝導性ストリップが剛性の材料で形成される、態様１ないし１２７のうちいずれか一項記載のポータブル磁気共鳴撮像システム。
〔態様１２９〕
ポータブル磁気共鳴撮像システムであって：
当該磁気共鳴撮像システムの撮像領域のためのB0磁場を生成するよう構成されたB0磁石と；
当該磁ポータブル気共鳴撮像システムの動作環境における少なくともいくらかの電磁ノイズを検出および抑制するよう構成されたノイズ削減システムと；
当該ポータブル磁気共鳴撮像システムの少なくとも一部のための電磁遮蔽とを有し、前記電磁遮蔽は、当該ポータブル磁気共鳴撮像システムの前記撮像領域の遮蔽は実質的に提供しない、
ポータブル磁気共鳴撮像システム。
〔態様１３０〕
前記B0磁石と；
動作させられるときに、磁気共鳴信号の空間的エンコードを提供するための磁場を生成するよう構成された複数の傾斜コイルと；
前記撮像領域に高周波信号を与えるよう構成された少なくとも一つの高周波コイルとを含む、
複数の磁気系コンポーネントを有する、態様１ないし１２９のうちいずれか一項記載のポータブル磁気共鳴撮像システム。
〔態様１３１〕
前記複数の磁気系コンポーネントの一つまたは複数に電力を提供するための少なくとも一つの電子コンポーネントをさらに有しており、前記電磁遮蔽が前記少なくとも一つの電子コンポーネントのための少なくともいくらかの遮蔽を提供する、態様１ないし１３０のうちいずれか一項記載のポータブル磁気共鳴撮像システム。
〔態様１３２〕
前記少なくとも一つの高周波コイルが複数の高周波コイルを含み、当該ポータブル磁気共鳴撮像システムは、前記複数の高周波コイルのうちの少なくとも一つを通る電流の量を減らすよう前記複数の高周波コイルのうちの前記少なくとも一つに結合された少なくとも一つの減結合回路を有する、態様１ないし１３１のうちいずれか一項記載のポータブル磁気共鳴撮像システム。
〔態様１３３〕
前記少なくとも一つの減結合回路が、前記複数の高周波コイルのうちの前記少なくとも一つを流れる電流を制限するタンク回路を有する、態様１ないし１３２のうちいずれか一項記載のポータブル磁気共鳴撮像システム。
〔態様１３４〕
前記少なくとも一つの減結合回路が：
前記複数の高周波コイルのうちの前記少なくとも一つを流れる電流を制限するよう構成された第一のタンク回路と；
前記複数の高周波コイルのうちの前記少なくとも一つを流れる電流を制限するよう構成された第二のタンク回路と；
送信サイクルの間は前記第一のタンク回路を前記複数の高周波コイルのうちの前記少なくとも一つに結合し、受信サイクルの間は前記第二のタンク回路を前記複数の高周波コイルのうちの前記少なくとも一つに結合する送信／受信スイッチとを有する、
態様１ないし１３３のうちいずれか一項記載のポータブル磁気共鳴撮像システム。
〔態様１３５〕
前記第一のタンク回路および前記第二のタンク回路が少なくとも一つの回路コンポーネントを共有する、態様１ないし１３４のうちいずれか一項記載のポータブル磁気共鳴撮像システム。
〔態様１３６〕
前記少なくとも一つの減結合回路が、前記複数の高周波コイルのうちの前記少なくとも一つを流れる電流の量を減らすようフィードバック回路を介して前記複数の高周波コイルのうちの前記少なくとも一つと並列に結合されたインダクタを有する、態様１ないし１３５のうちいずれか一項記載のポータブル磁気共鳴撮像システム。
〔態様１３７〕
前記少なくとも一つの高周波コイルが少なくとも一つの主高周波コイルおよび少なくとも一つの補助高周波コイルを有し、前記少なくとも一つの減結合回路が、前記少なくとも一つの主高周波コイルに結合された第一の減結合回路および前記少なくとも一つの補助コイルに結合された第二の減結合回路を有する、態様１ないし１３６のうちいずれか一項記載のポータブル磁気共鳴撮像システム。
〔態様１３８〕
前記第一の減結合回路および前記第二の減結合回路が異なる型である、態様１ないし１３７のうちいずれか一項記載のポータブル磁気共鳴撮像システム。
〔態様１３９〕
前記第一の減結合回路および前記第二の減結合回路が同じ型である、態様１ないし１３８のうちいずれか一項記載のポータブル磁気共鳴撮像システム。
〔態様１４０〕
前記B0磁石が約0.1T以上約0.2T以下の強度のB0磁場を生成するよう構成されている、態様１ないし１３９のうちいずれか一項記載のポータブル磁気共鳴撮像システム。
〔態様１４１〕
前記B0磁石が約50mT以上約0.1T以下の強度のB0磁場を生成するよう構成されている、態様１ないし１４０のうちいずれか一項記載のポータブル磁気共鳴撮像システム。
〔態様１４２〕
前記B0磁石が約20mT以上約50mT以下の強度のB0磁場を生成するよう構成されている、態様１ないし１４１のうちいずれか一項記載のポータブル磁気共鳴撮像システム。
〔態様１４３〕
前記B0磁石が約10mT以上約20mT以下の強度のB0磁場を生成するよう構成されている、態様１ないし１４２のうちいずれか一項記載のポータブル磁気共鳴撮像システム。
〔態様１４４〕
ポータブル磁気共鳴撮像システムであって：
当該磁気共鳴撮像システムの撮像領域のためのB0磁場を生成するよう構成されたB0磁石と；
前記B0磁石のための筐体と；
少なくとも一つの電磁シールド構造とを有し、前記少なくとも一つの電磁シールド構造は、前記少なくとも一つの電磁シールド構造を前記撮像領域のまわりで調節することによって変更できる量で前記撮像領域のための電磁遮蔽を提供するよう前記筐体に調節可能に結合される、
ポータブル磁気共鳴撮像システム。
〔態様１４５〕
当該磁ポータブル気共鳴撮像システムの動作環境における少なくともいくらかの電磁ノイズを検出および抑制するよう構成されたノイズ削減システムをさらに有する、態様１ないし１４４のうちいずれか一項記載のポータブル磁気共鳴撮像システム。
〔態様１４６〕
前記少なくとも一つのノイズ抑制コンポーネントが、当該磁ポータブル気共鳴撮像システムの動作環境における電磁ノイズの少なくとも一部を検出するための少なくとも一つのセンサーと、前記少なくとも一つのセンサーによって検出された電磁ノイズの前記少なくとも一部に基づいてノイズを抑制するための少なくとも一つのコントローラとを有する、態様１ないし１４５のうちいずれか一項記載のポータブル磁気共鳴撮像システム。
〔態様１４７〕
前記少なくとも一つの電磁シールド構造は、当該磁ポータブル気共鳴撮像システムの動作環境における電磁ノイズの少なくとも一部についての減衰を提供し、前記少なくとも一つの電磁シールド構造は、当該ポータブル磁気共鳴撮像システムの撮像領域の100パーセント未満を遮蔽するよう構成される、態様１ないし１４６のうちいずれか一項記載のポータブル磁気共鳴撮像システム。
〔態様１４８〕
前記少なくとも一つの電磁シールド構造が、前記撮像領域の約75パーセントないし約50パーセントを遮蔽するよう調整可能である、態様１ないし１４７のうちいずれか一項記載のポータブル磁気共鳴撮像システム。
〔態様１４９〕
前記少なくとも一つの電磁シールド構造が、前記撮像領域の約75パーセントないし約25パーセントを遮蔽するよう調整可能である、態様１ないし１４８のうちいずれか一項記載のポータブル磁気共鳴撮像システム。
〔態様１５０〕
前記少なくとも一つの電磁シールド構造が、前記撮像領域の約50パーセントないし約25パーセントを遮蔽するよう調整可能である、態様１ないし１４９のうちいずれか一項記載のポータブル磁気共鳴撮像システム。
〔態様１５１〕
前記少なくとも一つの電磁シールド構造が、前記筐体に結合された複数の可動シールドを有する、態様１ないし１５０のうちいずれか一項記載のポータブル磁気共鳴撮像システム。
〔態様１５２〕
前記複数の可動シールドが、前記撮像領域の遮蔽の量が構成されることを許容するために、互いに独立して動かされることができる、態様１ないし１５１のうちいずれか一項記載のポータブル磁気共鳴撮像システム。
〔態様１５３〕
前記複数の可動シールドのそれぞれが、実質的にそれぞれの可動シールドの周のまわりに配置された電気ガスケットを有する、態様１ないし１５２のうちいずれか一項記載のポータブル磁気共鳴撮像システム。
〔態様１５４〕
動作させられるときに、当該磁気共鳴撮像システムの撮像領域に高周波信号を送信し、該撮像領域から放出される磁気共鳴信号に応答するよう構成された複数の高周波コイルと；
前記複数の高周波コイルのうちの少なくとも一つを通る電流の量を減らすよう前記複数の高周波コイルのうちの前記少なくとも一つに結合された少なくとも一つの減結合回路とをさらに有する、
態様１ないし１５３のうちいずれか一項記載のポータブル磁気共鳴撮像システム。
〔態様１５５〕
前記少なくとも一つの減結合回路が、前記複数の高周波コイルのうちの前記少なくとも一つを流れる電流を制限するタンク回路を有する、態様１ないし１５４のうちいずれか一項記載のポータブル磁気共鳴撮像システム。
〔態様１５６〕
前記少なくとも一つの減結合回路が：
前記複数の高周波コイルのうちの前記少なくとも一つを流れる電流を制限するよう構成された第一のタンク回路と；
前記複数の高周波コイルのうちの前記少なくとも一つを流れる電流を制限するよう構成された第二のタンク回路と；
送信サイクルの間は前記第一のタンク回路を前記複数の高周波コイルのうちの前記少なくとも一つに結合し、受信サイクルの間は前記第二のタンク回路を前記複数の高周波コイルのうちの前記少なくとも一つに結合する送信／受信スイッチとを有する、
態様１ないし１５５のうちいずれか一項記載のポータブル磁気共鳴撮像システム。
〔態様１５７〕
前記第一のタンク回路および前記第二のタンク回路が少なくとも一つの回路コンポーネントを共有する、態様１ないし１５６のうちいずれか一項記載のポータブル磁気共鳴撮像システム。
〔態様１５８〕
前記少なくとも一つの減結合回路が、前記複数の高周波コイルのうちの前記少なくとも一つを流れる電流の量を減らすようフィードバック回路を介して前記複数の高周波コイルのうちの前記少なくとも一つと並列に結合されたインダクタを有する、態様１ないし１５９のうちいずれか一項記載のポータブル磁気共鳴撮像システム。
〔態様１５９〕
前記複数の高周波コイルが少なくとも一つの主高周波コイルおよび少なくとも一つの補助高周波コイルを有し、前記少なくとも一つの減結合回路が、前記少なくとも一つの主高周波コイルに結合された第一の減結合回路および前記少なくとも一つの補助コイルに結合された第二の減結合回路を有する、態様１ないし１５８のうちいずれか一項記載のポータブル磁気共鳴撮像システム。
〔態様１６０〕
前記第一の減結合回路および前記第二の減結合回路が異なる型である、態様１ないし１５９のうちいずれか一項記載のポータブル磁気共鳴撮像システム。
〔態様１６１〕
前記第一の減結合回路および前記第二の減結合回路が同じ型である、態様１ないし１６０のうちいずれか一項記載のポータブル磁気共鳴撮像システム。
〔態様１６２〕
前記B0磁石が約0.1T以上約0.2T以下の強度のB0磁場を生成するよう構成されている、態様１ないし１６１のうちいずれか一項記載のポータブル磁気共鳴撮像システム。
〔態様１６３〕
前記B0磁石が約50mT以上約0.1T以下の強度のB0磁場を生成するよう構成されている、態様１ないし１６２のうちいずれか一項記載のポータブル磁気共鳴撮像システム。
〔態様１６４〕
前記B0磁石が約20mT以上約50mT以下の強度のB0磁場を生成するよう構成されている、態様１ないし１６３のうちいずれか一項記載のポータブル磁気共鳴撮像システム。
〔態様１６５〕
前記B0磁石が約10mT以上約20mT以下の強度のB0磁場を生成するよう構成されている、態様１ないし１６４のうちいずれか一項記載のポータブル磁気共鳴撮像システム。
〔態様１６６〕
前記少なくとも一つの磁気シールドが、少なくとも一つの伝導性ループをなす当該磁気共鳴撮像システムの上部と下部に、前記撮像領域のまわりの複数の選択可能な位置において接続されるよう構成された少なくとも一つの伝導性ストリップを有する、態様１ないし１６５のうちいずれか一項記載のポータブル磁気共鳴撮像システム。
〔態様１６７〕
当該ポータブル磁気共鳴撮像システムが、当該磁気共鳴撮像システムの前記撮像領域内の磁束密度を増すよう前記B0磁石によって生成される磁場の少なくとも一部を捕捉して差し向けるよう構成された少なくとも一つの強磁性コンポーネントをさらに有しており、前記少なくとも一つの伝導性ストリップが、前記少なくとも一つの伝導性ループをなすよう前記少なくとも一つの強磁性コンポーネントに結合される、態様１ないし１６６のうちいずれか一項記載のポータブル磁気共鳴撮像システム。
〔態様１６８〕
前記B0磁石が、前記撮像領域のまわりの二平面配置に位置された少なくとも一つの第一の磁石および少なくとも一つの第二の磁石を有しており、前記少なくとも一つの強磁性コンポーネントは、前記少なくとも一つの第一の磁石および前記少なくとも一つの第二の磁石に磁気的に結合された強磁性構造を有しており、前記少なくとも一つの伝導性ストリップが、前記撮像領域の少なくとも一部のまわりの伝導性ループをなすよう前記強磁性構造に結合される、態様１ないし１６７のうちいずれか一項記載のポータブル磁気共鳴撮像システム。
〔態様１６９〕
前記少なくとも一つの伝導性ストリップが、前記撮像領域のまわりの前記複数の異なる位置のうちの任意の位置に取り外し可能に取り付けられることを許容するよう構成された複数の固定機構をさらに有する、態様１ないし１６８のうちいずれか一項記載のポータブル磁気共鳴撮像システム。
〔態様１７０〕
前記少なくとも一つの伝導性ストリップが柔軟な材料で形成される、態様１ないし１６９のうちいずれか一項記載のポータブル磁気共鳴撮像システム。
〔態様１７１〕
前記少なくとも一つの伝導性ストリップが柔軟な編組材料で形成される、態様１ないし１７０のうちいずれか一項記載のポータブル磁気共鳴撮像システム。
〔態様１７２〕
前記少なくとも一つの伝導性ストリップが剛性の材料で形成される、態様１ないし１７１のうちいずれか一項記載のポータブル磁気共鳴撮像システム。
〔態様１７３〕
磁気共鳴撮像を実行するための磁場を生成するよう構成された複数の磁気系コンポーネントをもつ磁気系システムを有するポータブル磁気共鳴撮像システムであって、前記磁気系システムは：
当該磁気共鳴撮像システムのためのB0磁場を生成するよう構成された永久B0磁石と；
動作させられるときに、放出される磁気共鳴信号の空間的エンコードを提供するための磁場を生成するよう構成された複数の傾斜コイルとを有し、
当該ポータブル磁気共鳴撮像システムはさらに：
画像取得を実行するよう当該磁気共鳴撮像システムを動作させるよう前記磁気系システムに電力を提供するよう構成された一つまたは複数の電力コンポーネントを有する電力システムと；
前記磁気系システムを支持し、前記電力システムを収容するベースとを有し、前記ベースは当該ポータブル磁気共鳴撮像システムが異なる位置に搬送されることを許容する少なくとも一つの運搬機構とを有する、
ポータブル磁気共鳴撮像システム。
〔態様１７４〕
前記運搬機構が少なくとも一つの電動コンポーネントを有する、態様１ないし１７３のうちいずれか一項記載のポータブル磁気共鳴撮像システム。
〔態様１７５〕
前記運搬機構が複数の車輪を有する、態様１ないし１７４のうちいずれか一項記載のポータブル磁気共鳴撮像システム。
〔態様１７６〕
前記少なくとも一つの車輪が少なくとも一つの電動車輪を含む、態様１ないし１７５のうちいずれか一項記載のポータブル磁気共鳴撮像システム。
〔態様１７７〕
ユーザーによって加えられた力を検出して、検出された力の方向に前記少なくとも一つの電動コンポーネントを稼働させる少なくとも一つのパワーアシスト機構をさらに有する、態様１ないし１７６のうちいずれか一項記載のポータブル磁気共鳴撮像システム。
〔態様１７８〕
幹線電気を受領するよう単相コンセントに接続し、幹線電気を前記電力システムに送達して当該磁気共鳴撮像システムを動作させるために必要とされる電力を提供するよう構成された電力接続をさらに有する、態様１ないし１７９のうちいずれか一項記載のポータブル磁気共鳴撮像システム。
〔態様１７９〕
当該ポータブル磁気共鳴撮像システムの電磁的に遮蔽された部屋の外での動作を容易にする少なくとも一つのノイズ抑制コンポーネントをさらに有する、態様１ないし１７８のうちいずれか一項記載のポータブル磁気共鳴撮像システム。
〔態様１８０〕
前記B0磁石のための筐体をさらに有しており、前記少なくとも一つのノイズ抑制コンポーネントが、前記筐体に調整可能に結合された少なくとも一つの電磁シールドを有し、前記電磁シールドは、前記撮像領域のまわりで前記少なくとも一つの電磁シールドを調整することによって構成可能な量で前記撮像領域のための電磁遮蔽を提供する、態様１ないし１７９のうちいずれか一項記載のポータブル磁気共鳴撮像システム。
〔態様１８１〕
前記少なくとも一つの電磁シールドが、前記筐体に結合された複数の可動シールドを有し、前記複数の可動シールドのそれぞれが前記撮像領域のまわりに独立して動かされることができる、態様１ないし１８０のうちいずれか一項記載のポータブル磁気共鳴撮像システム。
〔態様１８２〕
前記少なくとも一つのノイズ抑制コンポーネントが電磁ノイズを検出するための少なくとも一つのセンサーと、前記少なくとも一つのセンサーによって検出された電磁ノイズに基づいてノイズを抑制するための少なくとも一つのコントローラとを有する、態様１ないし１８１のうちいずれか一項記載のポータブル磁気共鳴撮像システム。
〔態様１８３〕
前記磁気系コンポーネントが少なくとも一つの高周波送信コイルを有する、態様１ないし１８２のうちいずれか一項記載のポータブル磁気共鳴撮像システム。
〔態様１８４〕
前記ベースが約50インチ以下の最大水平寸法をもつ、態様１ないし１８３のうちいずれか一項記載のポータブル磁気共鳴撮像システム。
〔態様１８５〕
前記ベースが約40インチ以下の最大水平寸法をもつ、態様１ないし１８４のうちいずれか一項記載のポータブル磁気共鳴撮像システム。
〔態様１８６〕
前記ベースが約35インチ以下の最大水平寸法をもつ、態様１ないし１８５のうちいずれか一項記載のポータブル磁気共鳴撮像システム。
〔態様１８７〕
前記ベースが約30インチ以下の最大水平寸法をもつ、態様１ないし１８６のうちいずれか一項記載のポータブル磁気共鳴撮像システム。
〔態様１８８〕
当該ポータブル磁気共鳴撮像システムの重量が1500ポンド未満である、態様１ないし１８７のうちいずれか一項記載のポータブル磁気共鳴撮像システム。
〔態様１８９〕
当該ポータブル磁気共鳴撮像システムの重量が1000ポンド未満である、態様１ないし１８８のうちいずれか一項記載のポータブル磁気共鳴撮像システム。
〔態様１９０〕
当該ポータブル磁気共鳴撮像システムが5フィード以下の最大寸法をもつ5ガウス線をもつ、態様１ないし１８９のうちいずれか一項記載のポータブル磁気共鳴撮像システム。
〔態様１９１〕
当該ポータブル磁気共鳴撮像システムが4フィード以下の最大寸法をもつ5ガウス線をもつ、態様１ないし１８９のうちいずれか一項記載のポータブル磁気共鳴撮像システム。
〔態様１９２〕
磁気共鳴撮像を実行するための磁場を生成するよう構成された複数の磁気系コンポーネントをもつ磁気系システムを有するポータブル磁気共鳴撮像システムであって、前記磁気系システムは：
当該磁気共鳴撮像システムのためのB0磁場を生成するよう構成された永久B0磁石と；
動作させられるときに、放出される磁気共鳴信号の空間的エンコードを提供するための磁場を生成するよう構成された複数の傾斜コイルと；
少なくとも一つの高周波送信コイルとを有し、
当該ポータブル磁気共鳴撮像システムはさらに：
画像取得を実行するよう当該磁気共鳴撮像システムを動作させるよう前記磁気系システムに電力を提供するよう構成された一つまたは複数の電力コンポーネントを有する電力システムと；
前記磁気系システムを支持し、前記電力システムを収容するベースとを有し、前記ベースは約50インチ以下の最大水平寸法をもつ、
ポータブル磁気共鳴撮像システム。
〔態様１９３〕
前記ベースが約40インチ以下の最大水平寸法をもつ、態様１ないし１９２のうちいずれか一項記載のポータブル磁気共鳴撮像システム。
〔態様１９４〕
前記ベースが約35インチ以下の最大水平寸法をもつ、態様１ないし１９３のうちいずれか一項記載のポータブル磁気共鳴撮像システム。
〔態様１９５〕
前記ベースが約30インチ以下の最大水平寸法をもつ、態様１ないし１９４のうちいずれか一項記載のポータブル磁気共鳴撮像システム。
〔態様１９６〕
当該ポータブル磁気共鳴撮像システムの重量が1500ポンド未満である、態様１ないし１９５のうちいずれか一項記載のポータブル磁気共鳴撮像システム。
〔態様１９７〕
当該ポータブル磁気共鳴撮像システムの重量が1000ポンド未満である、態様１ないし１９６のうちいずれか一項記載のポータブル磁気共鳴撮像システム。
〔態様１９８〕
当該ポータブル磁気共鳴撮像システムが5フィード以下の最大寸法をもつ5ガウス線をもつ、態様１ないし１９７のうちいずれか一項記載のポータブル磁気共鳴撮像システム。
〔態様１９９〕
当該ポータブル磁気共鳴撮像システムが4フィード以下の最大寸法をもつ5ガウス線をもつ、態様１ないし１９８のうちいずれか一項記載のポータブル磁気共鳴撮像システム。
〔態様２００〕
磁気共鳴撮像を実行するための磁場を生成するよう構成された複数の磁気系コンポーネントをもつ磁気系システムを有するポータブル磁気共鳴撮像システムであって、前記磁気系システムは：
当該磁気共鳴撮像システムのためのB0磁場を生成するよう構成された永久B0磁石と；
動作させられるときに、放出される磁気共鳴信号の空間的エンコードを提供するための磁場を生成するよう構成された複数の傾斜コイルと；
少なくとも一つの高周波送信コイルとを有し、
当該ポータブル磁気共鳴撮像システムはさらに、画像取得を実行するよう当該磁気共鳴撮像システムを動作させるよう前記磁気系システムに電力を提供するよう構成された一つまたは複数の電力コンポーネントを有する電力システムを有し、
当該磁気共鳴撮像システムの重量は1500ポンド未満である、
ポータブル磁気共鳴撮像システム。
〔態様２０１〕
前記ベースが約40インチ以下の最大水平寸法をもつ、態様１ないし２００のうちいずれか一項記載のポータブル磁気共鳴撮像システム。
〔態様２０２〕
前記ベースが約40インチ以下の最大水平寸法をもつ、態様１ないし２０１のうちいずれか一項記載のポータブル磁気共鳴撮像システム。
〔態様２０３〕
前記ベースが約35インチ以下の最大水平寸法をもつ、態様１ないし２０２のうちいずれか一項記載のポータブル磁気共鳴撮像システム。
〔態様２０４〕
前記ベースが約30インチ以下の最大水平寸法をもつ、態様１ないし２０３のうちいずれか一項記載のポータブル磁気共鳴撮像システム。
〔態様２０５〕
当該ポータブル磁気共鳴撮像システムの重量が1000ポンド未満である、態様１ないし２０４のうちいずれか一項記載のポータブル磁気共鳴撮像システム。
〔態様２０６〕
当該ポータブル磁気共鳴撮像システムが5フィード以下の最大寸法をもつ5ガウス線をもつ、態様１ないし２０５のうちいずれか一項記載のポータブル磁気共鳴撮像システム。
〔態様２０７〕
当該ポータブル磁気共鳴撮像システムが4フィード以下の最大寸法をもつ5ガウス線をもつ、態様１ないし２０６のうちいずれか一項記載のポータブル磁気共鳴撮像システム。
〔態様２０８〕
磁気共鳴撮像を実行するための磁場を生成するよう構成された複数の磁気系コンポーネントをもつ磁気系システムを有するポータブル磁気共鳴撮像システムであって、前記磁気系システムは：
約0.1T以下の磁場強度でB0磁場を生成するよう構成された永久B0磁石と；
動作させられるときに、磁気共鳴信号の空間的エンコードを提供するための磁場を生成するよう構成された複数の傾斜コイルと；
動作させられるときに、当該磁気共鳴撮像システムの視野に高周波信号を送信し、該視野から放出される磁気共鳴信号に応答するよう構成された少なくとも一つの高周波コイルとを有し、
当該低磁場磁気共鳴撮像システムは、5フィート以下の最大寸法をもつ5ガウス線をもつ、
ポータブル磁気共鳴撮像システム。
〔態様２０９〕
前記ベースが約50インチ以下の最大水平寸法をもつ、態様１ないし２０８のうちいずれか一項記載のポータブル磁気共鳴撮像システム。
〔態様２１０〕
前記ベースが約40インチ以下の最大水平寸法をもつ、態様１ないし２０９のうちいずれか一項記載のポータブル磁気共鳴撮像システム。
〔態様２１１〕
前記ベースが約35インチ以下の最大水平寸法をもつ、態様１ないし２１０のうちいずれか一項記載のポータブル磁気共鳴撮像システム。
〔態様２１２〕
前記ベースが約30インチ以下の最大水平寸法をもつ、態様１ないし２１１のうちいずれか一項記載のポータブル磁気共鳴撮像システム。
〔態様２１３〕
当該ポータブル磁気共鳴撮像システムの重量が1500ポンド未満である、態様１ないし２１２のうちいずれか一項記載のポータブル磁気共鳴撮像システム。
〔態様２１４〕
当該ポータブル磁気共鳴撮像システムの重量が1000ポンド未満である、態様１ないし２１３のうちいずれか一項記載のポータブル磁気共鳴撮像システム。
〔態様２１５〕
当該ポータブル磁気共鳴撮像システムが4フィード以下の最大寸法をもつ5ガウス線をもつ、態様１ないし２１４のうちいずれか一項記載のポータブル磁気共鳴撮像システム。
〔態様２１６〕
磁気共鳴撮像を実行するための磁場を生成するよう構成された複数の磁気系コンポーネントをもつ磁気系システムを有するポータブル磁気共鳴撮像システムであって、前記磁気系システムは：
当該磁気共鳴撮像システムのためのB0磁場を生成するよう構成されたB0磁石と；
動作させられるときに、放出される磁気共鳴信号の空間的エンコードを提供するための磁場を生成するよう構成された複数の傾斜コイルとを有し、
当該ポータブル磁気共鳴撮像システムはさらに：
画像取得を実行するよう当該磁気共鳴撮像システムを動作させるよう前記磁気系システムに電力を提供するよう構成された一つまたは複数の電力コンポーネントを有する電力システムと；
前記磁気系システムを支持し、前記電力システムを収容するベースであって、前記ベースは、当該ポータブル磁気共鳴撮像システムが所望される位置に搬送されることを許容する少なくとも一つの運搬機構を有する、ベースと；
前記B0磁石に結合され、前記B0磁石が所望される角度に回転されることを許容するよう構成された位置決め部材とを有する、
ポータブル磁気共鳴撮像システム。
〔態様２１７〕
前記位置決め部材が、前記B0磁石および前記ベースに結合された位置決めゴニオメーターを有し、前記位置決めゴニオメーターは、前記B0磁石が、ある角度範囲にわたって実質的には前記B0磁石の重心のまわりに回転されることを許容する、態様１ないし２１６のうちいずれか一項記載のポータブル磁気共鳴撮像システム。
〔態様２１８〕
前記位置決め部材が前記B0磁石が手動で回転されることを許容する、態様１ないし２１７のうちいずれか一項記載のポータブル磁気共鳴撮像システム。
〔態様２１９〕
前記位置決め部材が：
前記B0磁石を前記複数の位置のうちの選択された位置に保持する少なくとも一つのロッキング部材と；
ユーザーが前記少なくとも一つのロッキング部材を手動で解放し、前記B0磁石を前記複数の位置のうちの異なる位置に回転させることを許容する少なくとも一つの手動リリース機構とを有する、
態様１ないし２１８のうちいずれか一項記載のポータブル磁気共鳴撮像システム。
〔態様２２０〕
前記位置決め部材が前記B0磁石が実質的にその重心のまわりに回転されるよう前記B0磁石に結合されている、態様１ないし２１９のうちいずれか一項記載のポータブル磁気共鳴撮像システム。
〔態様２２１〕
前記B0磁石の重心が回転時に実質的に同じ位置に留まる、態様１ないし２２０のうちいずれか一項記載のポータブル磁気共鳴撮像システム。
〔態様２２２〕
前記複数の位置のそれぞれが、撮像される患者の解剖構造を支持する撮像領域内の表面のそれぞれ異なる傾斜を生じる前記B0磁石の傾きに対応する、態様１ないし２２１のうちいずれか一項記載のポータブル磁気共鳴撮像システム。
〔態様２２３〕
前記B0磁石が、二平面配置に位置された第一のB0磁石および第二のB0磁石を有しており、前記複数の位置のそれぞれは、前記B0磁石の重心のまわりの前記二平面配置の平面の傾きに対応する、態様１ないし２２２のうちいずれか一項記載のポータブル磁気共鳴撮像システム。
〔態様２２４〕
前記磁気系コンポーネントが少なくとも一つの高周波送信コイルを含む、態様１ないし２２３のうちいずれか一項記載のポータブル磁気共鳴撮像システム。
〔態様２２５〕
前記ベースが約50インチ以下の最大水平寸法をもつ、態様１ないし２２４のうちいずれか一項記載のポータブル磁気共鳴撮像システム。
〔態様２２６〕
前記ベースが約40インチ以下の最大水平寸法をもつ、態様１ないし２２５のうちいずれか一項記載のポータブル磁気共鳴撮像システム。
〔態様２２７〕
前記ベースが約35インチ以下の最大水平寸法をもつ、態様１ないし２２６のうちいずれか一項記載のポータブル磁気共鳴撮像システム。
〔態様２２８〕
前記ベースが約30インチ以下の最大水平寸法をもつ、態様１ないし２２７のうちいずれか一項記載のポータブル磁気共鳴撮像システム。
〔態様２２９〕
ポータブル磁気共鳴撮像システムであって：
当該磁気共鳴撮像システムの撮像領域のためのB0磁場を生成するよう構成されたB0磁石と；
前記B0磁石のための筐体と；
少なくとも一つの電磁シールドとを有し、前記少なくとも一つの電磁シールドは、前記少なくとも一つの電磁シールドを前記撮像領域のまわりで調節することによって構成設定可能な量で前記撮像領域のための電磁遮蔽を提供するよう前記筐体に調節可能に結合される、
ポータブル磁気共鳴撮像システム。
〔態様２３０〕
前記少なくとも一つの電磁シールドが、前記筐体に結合された複数の可動シールドを有し、前記複数の可動シールドのそれぞれが、前記撮像領域のまわりに独立して動かされることができる、態様１ないし２２９のうちいずれか一項記載のポータブル磁気共鳴撮像システム。
〔態様２３１〕
前記複数の可動シールドのそれぞれが、実質的にそれぞれの可動シールドの周のまわりに電気ガスケットを有する、態様１ないし２３０のうちいずれか一項記載のポータブル磁気共鳴撮像システム。
〔態様２３２〕
当該ポータブル磁気共鳴撮像システムの電磁的に遮蔽された部屋の外での動作を容易にする少なくとも一つのノイズ抑制コンポーネントをさらに有する、態様１ないし２３１のうちいずれか一項記載のポータブル磁気共鳴撮像システム。
〔態様２３３〕
前記少なくとも一つのノイズ抑制コンポーネントが電磁ノイズを検出するための少なくとも一つのセンサーと、前記少なくとも一つのセンサーによって検出された電磁ノイズに基づいてノイズを抑制するための少なくとも一つのコントローラとを有する、態様１ないし２３２のうちいずれか一項記載のポータブル磁気共鳴撮像システム。
〔態様２３４〕
磁気共鳴撮像を実行するための磁場を生成するよう構成された複数の磁気系コンポーネントをもつ磁気系システムを有する低磁場磁気共鳴撮像システムであって、前記磁気系システムは：
約0.1T以下の磁場強度でB0磁場を生成するよう構成された永久B0磁石と；
動作させられるときに、磁気共鳴信号の空間的エンコードを提供するための磁場を生成するよう構成された複数の傾斜コイルと；
動作させられるときに、当該磁気共鳴撮像システムの視野に高周波信号を送信し、該視野から放出される磁気共鳴信号に応答するよう構成された少なくとも一つの高周波コイルとを有し、
当該低磁場磁気共鳴撮像システムはさらに：
少なくとも一つの画像を取得するよう所定のパルス・シーケンスに従って前記磁気系システムを動作させるよう構成された少なくとも一つのコントローラを有する、
低磁場磁気共鳴撮像システム。
〔態様２３５〕
前記少なくとも一つのコントローラは、約15分以下で複数の画像を取得するよう所定のパルス・シーケンスに従って前記磁気系システムを動作させるよう構成される、態様１ないし２３４のうちいずれか一項記載の低磁場磁気共鳴撮像システム。
〔態様２３６〕
前記複数の画像の解像度がそれぞれの次元方向において2×2×5mm以下である、態様１ないし２３５のうちいずれか一項記載の低磁場磁気共鳴撮像システム。
〔態様２３７〕
前記少なくとも一つのコントローラは、約5分以下で複数の画像を取得するよう所定のパルス・シーケンスに従って前記磁気系システムを動作させるよう構成される、態様１ないし２３６のうちいずれか一項記載の低磁場磁気共鳴撮像システム。
〔態様２３８〕
前記複数の画像の解像度がそれぞれの次元方向において3×3×6mm以下である、態様１ないし２３７のうちいずれか一項記載の低磁場磁気共鳴撮像システム。
〔態様２３９〕
画像取得を実行するよう当該磁気共鳴撮像システムを動作させるために前記磁気系システムに電力を提供するよう構成された一つまたは複数の電力コンポーネントを有する電力システムをさらに有する、態様１ないし２３８のうちいずれか一項記載の低磁場磁気共鳴撮像システム。
〔態様２４０〕
前記磁気系システムを支持し、前記電力システムを収容するベースをさらに有しており、前記ベースは、ポータブル磁気共鳴撮像システムが所望される位置に搬送されることを許容する少なくとも一つの運搬機構を有する、態様１ないし２３９のうちいずれか一項記載の低磁場磁気共鳴撮像システム。
〔態様２４１〕
幹線電気を受領するよう単相コンセントに接続し、幹線電気を前記電力システムに送達して当該磁気共鳴撮像システムを動作させるために必要とされる電力を提供するよう構成された電力接続をさらに有する、態様１ないし２４０のうちいずれか一項記載の低磁場磁気共鳴撮像システム。
〔態様２４２〕
磁気共鳴撮像システムであって：
当該磁気共鳴撮像システムのためのB0磁場を生成するよう構成されたB0磁石と；
前記B0磁石に結合され、前記B0磁石が複数の位置に手動で回転されることを許容する位置決め部材とを有し、前記複数の位置のそれぞれは前記B0磁石を異なる角度に配置する、
磁気共鳴撮像システム。
〔態様２４３〕
前記位置決め部材が：
前記B0磁石を前記複数の位置のうちの選択された位置に保持する少なくとも一つのロッキング部材と；
ユーザーが前記少なくとも一つのロッキング部材を手動で解放し、前記B0磁石を前記複数の位置のうちの異なる位置に回転させることを許容する少なくとも一つの手動リリース機構とを有する、
態様１ないし２４２のうちいずれか一項記載の磁気共鳴撮像システム。
〔態様２４４〕
前記位置決め部材が、前記B0磁石が実質的にその重心のまわりに回転されるよう、前記B0磁石に結合されている、態様１ないし２４３のうちいずれか一項記載の磁気共鳴撮像システム。
〔態様２４５〕
前記B0磁石の重心が回転時に実質的に同じ位置に留まる、態様１ないし２４４のうちいずれか一項記載の磁気共鳴撮像システム。
〔態様２４６〕
前記複数の位置のそれぞれが、撮像される患者の解剖構造を支持する撮像領域内の表面のそれぞれ異なる傾斜を生じる前記B0磁石の傾きに対応する、態様１ないし２４５のうちいずれか一項記載の磁気共鳴撮像システム。
〔態様２４７〕
前記B0磁石が、二平面配置に位置された第一のB0磁石および第二のB0磁石を有しており、前記複数の位置のそれぞれは、前記B0磁石の重心のまわりの前記二平面配置の平面の傾きに対応する、態様１ないし２４６のうちいずれか一項記載の磁気共鳴撮像システム。